(57)【要約】支持ユニット（１０）は、仮設道路を形成するため、同様のユニットと接続可能である。支持ユニット（１０）の下面（２０）上に上方に延在し、先細形状の複数の凹部（１８）を設けて地面との係合手段とする。隣接する同様のユニット（１０）と相互接続させるため、支持ユニット（１０）の側面上に係止構造並びに各フランジおよび対応する凹部を設ける。【選択図】図１５
2017525878.tif 000002
【特許請求の範囲】
【請求項１】
仮設道路を形成するために、同様の部品に接続可能な支持部品であって、使用時においては、下側に設けられた複数の凹部を含むことにより地面と係合し、前記凹部は、前記支持部品を隣接する同様の支持部品に選択的に接続するために設けられた複数の接続構造を有し、内部に向かって上方に先細形状となる支持部品。
【請求項２】
請求項１に記載の部品であって、前記凹部は、前記支持部品の下側における表面領域の少なくとも３０％超だけ延在する部品。
【請求項３】
請求項２に記載の部品であって、前記凹部は、前記支持部品の下側における表面領域の少なくとも４０％超だけ延在する部品。
【請求項４】
請求項３に記載の部品であって、前記凹部は、前記支持部品の下側における表面領域の少なくとも５０％超だけ延在する部品。
【請求項５】
請求項４に記載の部品であって、前記凹部は、前記支持部品の下側における表面領域の少なくとも６０％超だけ延在する部品。
【請求項６】
請求項１〜５のいずれかに記載の部品であって、前記凹部を均一なパターンで設けた部品。
【請求項７】
請求項１〜６のいずれかに記載の部品であって、前記凹部は、下側から延在し、第１角度で先細形状となる第１部分と、前記第１角度よりも大きい第２角度で前記第１部分から延在する第２部分とを備える部品。
【請求項８】
請求項７に記載の部品であって、前記第１角度は、５°〜２０°である部品。
【請求項９】
請求項８に記載の部品であって、前記第１角度は、５°〜１５°である部品。
【請求項１０】
請求項９に記載の部品であって、前記第１角度は、８°〜１２°である部品。
【請求項１１】
請求項１０に記載の部品であって、前記第１角度は、約１０°である部品。
【請求項１２】
請求項７〜１１のいずれかに記載の部品であって、前記第２角度は、３０〜６０°である部品。
【請求項１３】
請求項１２に記載の部品であって、前記第２角度は、３５〜５０°である部品。
【請求項１４】
請求項１３に記載の部品であって、前記第２角度は、４０〜５０°である部品。
【請求項１５】
請求項１４に記載の部品であって、前記第２角度は、４３〜４７°である部品。
【請求項１６】
請求項１５に記載の部品であって、前記第２角度は、約４４．３５°である部品。
【請求項１７】
請求項１〜１６のいずれかに記載の部品であって、前記凹部は、タイルの深度の６０〜９５％だけ延在する部品。
【請求項１８】
請求項１７に記載の部品であって、前記凹部は、タイルの深度の７０〜９０％だけ延在する部品。
【請求項１９】
請求項１８に記載の部品であって、前記凹部は、タイルの深度の８０〜９０％だけ延在する部品。
【請求項２０】
請求項１９に記載の部品であって、前記凹部は、タイルの深度の８５〜９０％だけ延在する部品。
【請求項２１】
請求項２０に記載の部品であって、前記凹部は、タイルの深度の約８８．２％だけ延在する部品。
【請求項２２】
請求項１〜２１のいずれかに記載の部品であって、前記タイルの厚みは、５０〜１５０ｍｍである部品。
【請求項２３】
請求項２２に記載の部品であって、前記タイルの厚みは、５０〜１００ｍｍである部品。
【請求項２４】
請求項２３に記載の部品であって、前記タイルの厚みは、７０〜８０ｍｍである部品。
【請求項２５】
請求項２４に記載の部品であって、前記タイルの厚みは、約７５ｍｍである部品。
【請求項２６】
請求項１〜２５のいずれかに記載の部品であって、前記凹部は、平面視において、少なくとも全体的に四角形である部品。
【請求項２７】
請求項７に従属する場合の請求項２６に記載の部品であって、第２先細部は、平面視において、少なくとも全体的に四角形である部品。
【請求項２８】
請求項７に従属する場合の請求項７または請求項８〜２７のいずれかに記載の部品であって、前記第２先細部は、第１先細部に対して軸方向にオフセットされた部品。
【請求項２９】
請求項２８に記載の部品であって、前記第２先細部は、軸方向に約４５°だけオフセットされた部品。
【請求項３０】
請求項１〜２９のいずれかに記載の部品であって、前記支持部品の上面上に構造体を設けることにより、グリップを強化した部品。
【請求項３１】
請求項１〜３０のいずれかに記載の部品であって、接続された隣接する支持部品を保持するための複数の係止構造を設けた部品。
【請求項３２】
請求項３１に記載の部品であって、前記係止構造は、係止および解除状態の間を選択的に切替可能となるよう構成された部品。
【請求項３３】
請求項３２に記載の部品であって、前記係止構造は、係止状態に切り替わる際に、隣接する支持部品を押圧するよう構成された部品。
【請求項３４】
請求項３２または３３に記載の部品であって、前記係止構造は、支持部品上に回転部材を有し、隣接する支持部品上の雌ユニットと回転して係合可能となる１つ以上の雄ユニットを含む部品。
【請求項３５】
請求項３３に従属する場合の請求項３４に記載の部品であって、前記雌ユニットは、カム面を備えることで、雄ユニット上の回転部材がカム面と係合し、回転するとき、これにより各支持部品を押圧する部品。
【請求項３６】
請求項３４または３５に記載の部品であって、前記回転部材は、回転部材から延在する柄付きのヘッドと、前記ヘッドから離間した前記柄の端部から延在するクロスバーとを備える部品。
【請求項３７】
請求項３６に記載の部品であって、前記ヘッド上に、ツールによって係合可能な構造体を設けることにより、各支持部品に対する回転部材の回転を可能とした部品。
【請求項３８】
請求項３６または３７に記載の部品であって、前記雌ユニットは、細長い開口部を含み、並列に整列するとき、前記回転部材のクロスバーは、前記細長い開口部を通じて通過可能となり、前記細長い開口部を通過した後に並列な整列から回転するとき、前記クロスバーは前記雌ユニットのカム面に対して係合する部品。
【請求項３９】
請求項３４〜３８のいずれかに記載の部品であって、前記雄ユニットは、プラスチック材料から製造される部品。
【請求項４０】
請求項３９に記載の部品であって、前記雄ユニットは、ナイロンから製造される部品。
【請求項４１】
請求項４０または４１に記載の部品であって、前記雄ユニットは、内部金属補強材を含む部品。
【請求項４２】
請求項３４〜４１のいずれかに記載の部品であって、前記雌ユニットは、プラスチック材料から製造される部品。
【請求項４３】
請求項４２に記載の部品であって、前記雌ユニットは、ナイロンから製造される部品。
【請求項４４】
請求項１〜４３のいずれかに記載の部品であって、前記支持部品は、平面視において、少なくとも全体的に長方形である部品。
【請求項４５】
請求項４４に記載の部品であって、前記支持部品は、一対の長辺および一対の短辺を有する部品。
【請求項４６】
請求項４５に記載の部品であって、前記支持部品の長辺は、前記短辺よりも３０〜７０％だけ長い部品。
【請求項４７】
請求項４６に記載の部品であって、前記支持部品の長辺は、前記短辺よりも約５０％だけ長い部品。
【請求項４８】
請求項１〜４７のいずれかに記載の部品であって、前記支持部品の側面の一方に沿って延在する主フランジを設けた部品。
【請求項４９】
請求項４８に記載の部品であって、前記主フランジに対応する、前記支持部品の対向側面に沿って延在する主凹部を設けた部品。
【請求項５０】
請求項４９に記載の部品であって、前記隣接する部品が少なくとも全体的に、相互に同一平面上に延在するように、前記凹部は、隣接する支持部品上の主フランジを受容するように寸法決めされた部品。
【請求項５１】
請求項４５に従属する場合の請求項４９または５０に記載の部品であって、前記主フランジおよび凹部は、前記支持部品の一対の長辺上に設けられた部品。
【請求項５２】
請求項３４に従属する場合の請求項４９〜５１のいずれかに記載の部品であって、前記雄ユニットを前記主フランジ上に設け、前記雌ユニットを前記主凹部上に設けた部品。
【請求項５３】
請求項５１または５２に記載の部品であって、前記支持部品の他方の側面上に、小フランジおよび各凹部を設けた部品。
【請求項５４】
請求項５３に記載の部品であって、前記小フランジおよび小凹部上または前記小フランジおよび小凹部に隣接して、構造体を設けることにより、隣接する支持部品を取り付け可能とする部品。
【請求項５５】
請求項５４に記載の部品であって、前記小フランジおよび小凹部上または前記小フランジおよび小凹部に隣接して設けられた前記構造体は、凹部を備える部品。
【請求項５６】
請求項５５に記載の部品であって、前記小フランジおよび小凹部上または前記小フランジおよび小凹部に隣接して設けられた前記構造体における凹部を通じて、１つ以上の開口部を設けた部品。
【請求項５７】
請求項１〜５６のいずれかに記載の部品であって、前記支持部品上に吊り具を設けた
部品。
【請求項５８】
請求項５７に記載の部品であって、前記吊り具は、前記支持部品における開口部に取り付け可能な構造体を備える部品。
【請求項５９】
請求項５７または５８に記載の部品であって、前記支持部品の隣接する角部に前記吊り具を設けた部品。
【請求項６０】
請求項５７〜５９のいずれかに記載の部品であって、前記吊り具は、金属から製造される部品。
【請求項６１】
接続された、請求項１〜６０のいずれかに記載の複数の支持部材を備える仮設道路。
【請求項６２】
添付図面を参照して、実質的に前述した支持部品。
【請求項６３】
添付図面を参照して、実質的に前述した仮設道路。
【請求項６４】
請求項１〜６３のいずれかに記載の発明の範囲内であるか、または、それと同一の発明に関連するか否かに関わらず、本明細書に記載の任意の新規の主題または新規の主題を含む組み合わせ。
【発明の詳細な説明】
【技術分野】
【０００１】
本発明は、支持部品、特に、仮設道路を形成するために同様の部品に接続可能な支持部品と、そのような部品から設立される道路に関する。
【背景技術】
【０００２】
仮設道路は、多様な状況において必要とされるものである。例えば、仮設道路は、建設プロジェクトにおいて必要とされ、特に、後続の建設において重荷重用道路へのアクセスが不要である、風車等の大きな物品を設置する際に必要とされる。従って、仮設道路により、従来の常設道路の建設または他のアクセス手段の構築を不要とすることができる。
【０００３】
既に、多数の仮設道路が提案されてきた。金属システムが使用されてきたが、これらは、多くの場合、保安手段を搭載する必要があるか、または、スクラップ価値による金属製道路の潜在的な盗難を避けるための固定具を必要とする。プラスチック材料を使用する構成も提案されてきたが、これらは、多くの場合、極度に重く、および／または浸水しやすく、一旦濡れると、物品が非常に重くなり得ることを意味する。
【発明の概要】
【０００４】
本発明の第１の態様によると、仮設道路を形成するために、同様の部品に接続可能な支持部品を提供する。この支持部品は、使用時において、下側に設けられた複数の凹部を含むことにより地面と係合し、この凹部は、支持部品を隣接する同様の支持部品に選択的に接続するために設けられた複数の接続構造を有し、内部に向かって上方に先細形状になる。
【０００５】
凹部は、支持部品の下側における表面領域の少なくとも３０％超、好ましくは、４０％、５０％、または６０％超だけ延在可能である。
【０００６】
凹部は、均一のパターンで設けてもよい。
【０００７】
凹部は、下側から延在し、第１角度で先細形状となる第１部分と、第１角度よりも大きい第２角度で第１部分から延在する第２部分とを備える。
【０００８】
第１角度は、５°〜２０°、５°〜１５°、８°〜１２°、約１０°であり得る。第２角度は、３０°〜６０°、３５°〜５０°、４０°〜５０°、４３°〜４７°、約４４．３５°であり得る。
【０００９】
凹部は、タイルの深度の６０〜９５％、７０〜９０％、８０〜９０％、８５〜９０％、約８８．２％だけ延在し得る。
【００１０】
タイルの厚みは、５０〜１５０ｍｍ、５０〜１００ｍｍ、７０〜８０ｍｍ、約７５ｍｍであり得る。
【００１１】
凹部は、平面視において、少なくとも全体的に四角形であることができる。第２先細部は、平面視において、少なくとも全体的に四角形状であり、第１先細部に対して軸方向にオフセットされてもよく、約４５°だけオフセットされ得る。
【００１２】
支持部品の上面上に構造体を設けて、グリップを強化することもできる。
【００１３】
接続された隣接する支持部品を保持するために、複数の係止構造を設けてもよい。係止構造は、係止および解除状態の間を選択的に切替可能となるよう配置され、かつ、係止状態に切り替わる際に、隣接する支持部品を押圧するように配置され得る。
【００１４】
係止構造は、支持部品上に回転部材を有し、隣接する支持部品上の雌ユニットと回転して係合可能となる１つ以上の雄ユニットを含んでもよい。雌ユニットは、カム面を備えることで、雄ユニット上の回転部材がカム面と係合し、回転するとき、これにより各支持部品を押圧することができる。
【００１５】
回転部材は、回転部材から延在する柄付きのヘッドと、ヘッドから離間した柄の端部から延在するクロスバーとを備えることができる。ヘッド上に構造体を設けてもよく、この構造体は、ツールによって係合されることにより、各支持部品に対する回転部材の回転を可能とする。
【００１６】
雌ユニットは、細長い開口部を含んでもよく、並列に整列するとき、回転部材のクロスバーは、この細長い開口部を通じて通過可能となり、細長い開口部を通過した後に並列な整列から回転するとき、クロスバーは雌ユニットのカム面に対して係合する。
【００１７】
雄ユニットは、例えば、ナイロン等のプラスチック材料から製造されてもよく、内部金属補強材を含んでもよい。雌ユニットは、例えば、ナイロン等のプラスチック材料から製造されてもよい。
【００１８】
支持部品は、平面視において、少なくとも全体的に長方形であってもよく、一対の長辺および一対の短辺を有し得る。長辺は、短辺よりも３０〜７０％だけ長くてもよく、約５０％だけ長くてもよい。
【００１９】
支持部品の側面の一方に沿って延在する主フランジを設けてもよく、また、支持部品の対向側面に沿って延在し、対応する主凹部を設けてもよい。隣接する部品が少なくとも全体的に、相互に同一平面上に延在するように、凹部は、隣接する支持部品上の主フランジを受容するように寸法決めされる。
【００２０】
主フランジおよび凹部は、支持部品の一対の長辺面上に設けてもよい。
【００２１】
雄ユニットを主フランジ上に設け、雌ユニットを主凹部上に設けてもよい。
【００２２】
支持部品の他方の側面上に、小フランジおよび各凹部を設けてもよい。
【００２３】
小フランジおよび小凹部上または小フランジおよび小凹部に隣接して、構造体を設けることにより、隣接する支持部品を取り付けることができる。構造体は、凹部を備えてもよく、該凹部を通じて１つ以上の開口部を設けてもよい。
【００２４】
支持部品上に吊り具を設けてもよい。吊り具は、支持部品の開口部に取り付け可能な構造体を備えることができる。吊り具を隣接する支持部品の角部に設けてもよい。吊り構造は、金属から製造され得る。
【００２５】
本発明の第２の態様によると、仮設道路を提供する。この仮設道路は、接続された、先行する２１段落のいずれかに記載の複数の支持部品を備える。
【００２６】
次に、本発明の一実施形態を、単なる例として、添付図面を参照して説明する。
【図面の簡単な説明】
【００２７】
【図１】本発明による支持部品の上方からの斜視図および一部詳細図である。
【図２】図１の部品の下方からの斜視図および一部詳細図である。
【図３】図１の部品の上方からの平面図である。
【図４】図３のＡ−Ａ線に沿った断面側面図および一部詳細図である。
【図５】図１の部品の上方からの分解斜視図である。
【図６】いずれも図１に示す２つの部品の取り付け状態を示す、上方からの斜視図である。
【図７】いずれも図１に示す２つの部品の接続状態を示す側面図である。
【図８】互いに接続された、図１に示す２つの部品に、第３の部品を接続した状態の平面図である。
【図９】互いに接続された、図１に示す２つの部品のパーツの上方からの斜視図である。
【図１０】互いに接続された、図１に示す２つの部品のパーツの次の段階における上方からの斜視図である。
【図１１】互いに接続された、図１に示す２つの部品のパーツの更に次の段階における上方からの斜視図である。
【図１２】図１０に示す部分の底面図であって、図１０に示す段階に対応するものである。
【図１３】図１１に示す部分の底面図であって、図１１に示す段階に対応するものである。
【図１４】図９に示すパーツの１つの分解図である。
【図１５】図１の部品における一部分の下側からの斜視図である。
【図１６】図１の部品におけるより小さい部分の下側からの説明図である。
【図１７】図１の部品における特徴の下側からの説明図である。
【図１８】図１７の特徴の断面側面図である。
【図１９】図１７の特徴の側面図である。
【図２０】図１７の特徴の上方からの斜視図である。
【図２１】図１７の特徴の下側からの斜視図である。
【発明を実施するための形態】
【００２８】
図面は支持ユニット１０を示し、このユニットは、仮設道路を形成するために同様のユニットと接続可能である。ユニット１０は、高密度のポリエチレン等のプラスチック材料等の任意の好適な材料から製造され得る。
【００２９】
支持ユニットは、全体的に、長方形であり、この実施例においては、３ｍの一対の長辺１２と、２ｍの短辺１４とを有する。グリップを強化するため、支持ユニット１０に複数の突出部あるいは他の構造体を設けた、または仕上げ加工を施した上側支持面１６を設けてもよい。後述するように、支持ユニット１０の下面２０上に、上方に延在し、先細形状である複数の凹部１８を設ける。
【００３０】
長辺１２の一方は、その長さに沿って延在するフランジ２６を有し、長辺１２の他方は、凹部２８を備える。隣接する支持ユニット１０が実質的に同一平面上になるよう、凹部２８は、隣接する同様のユニット１０上のフランジ２６を受容する大きさである。
【００３１】
フランジ２６上に設けられた５つの雄ユニット３２と、凹部２８上に対応する５つの雌ユニット３４とを有する５つの係止構造３０を長辺１２に沿って設ける。それぞれが雌ユニット３４を受容するように、凹部２８に５つの離間した開口部３６を設ける。雌ユニット３４は、開口部３６にスライド嵌合する円形立ち上がり部３０を有する正方形の基部３８を有する。基部３８の各角部付近に開口部４２を設けることにより、ネジ等によって、凹部２８の下側に取り付け可能となる。円形部分４２は、より幅広の中央部分４６を有し、直径方向に延在する開口部４４を有する。斜面４８により、下方に面する弓状カム面５０を提供する。
【００３２】
図１４に最も良く示されるように、雄ユニット３２は、適切なツールによって係合可能な六角形の立ち上がり突出部５４を有するヘッド部５２を備える。図１４に示すように、金属補強材５６をヘッド部５２に埋め込み、この補強材５６は、平面状ヘッド５８から延在し、かつヘッド部５２から下方に延在する軸６０を有するヘッド部５２において全体的に配置された平面状ヘッド５８を備える。
【００３３】
図１４に示すように、ヘッド部５２の下側には、小凹部６４および大凹部６６を有するスプライン加工された立ち上がり円形構造体６２を設ける。雄ユニット３２は、スプライン加工された円形構造体７２を備える中央円形部分７０を有する第２部分６８も含み、このスプライン加工された円形構造体７２は、スプライン加工された構造体６２に対面しており、かつ、凹部６６，６８にそれぞれ係合可能である小突出部７４および大突出部７６によって、スプライン加工された構造体６２と係合可能である。
【００３４】
構造体７２を通る中央開口部７８を設け、この中央開口部７８を通じて軸６０は延在可能となる。軸６０の少なくとも先端部はねじ状であり、雄ユニットをねじ状軸６０に係合するナット８２によって保持することによって、部分７０の下側に係合可能なワッシャ８０を軸６０上にフィットさせることができる。
【００３５】
第２部分６８は、中央円形部分７０の反対側面上に半径方向に延在する横片８４も備える。プロファイルされた金属補強材８６を、軸６０を受容するための孔部を有する横片８４に亘って延在する第２部分６８内に設ける。
【００３６】
フランジ２６に５つの円形凹部８８を、開口部３６と対応する位置に設ける。各凹部８８に中央小孔部９０を設ける。構造体６２，７２および孔部９０を貫通する軸６０によって、雄ユニット３２を各凹部８８に位置するヘッド部５２とフィットさせることができる。
【００３７】
小フランジ９２および対応する凹部９４をそれぞれ短辺１４に沿って設ける。３つの細長い凹部９６を小フランジ９２に隣接する上側支持面１６に設け、３つの対応する細長い凹部９８を各小凹部９４に隣接する上側支持面１６に設ける。凹部９６，９８は、長辺１２に平行に延在する。フランジ９２の頂部に亘って延在する凹部９６は、凹部９４に隣接して延在する凹部９８よりも長い。
【００３８】
凹部９８に１つの取付孔部１００を設ける一方で、フランジ９２に亘って延在する凹部９６には２つの取付孔部１００を設ける。孔部１００の直下に捕捉ナット１０１を設けてもよい。凹部９６，９８にスライド嵌合し、不要時には全体的に凹部９６に位置付けることができる複数のストラップ１０２を設ける。非使用時において、ストラップ１０２に、凹部９６における孔部１００の位置に対応する間隔を有する一対の孔部１０４を設ける。隣接するユニット１０を接続するため、孔部１０４を凹部９６における外部取付孔部１００および凹部９８における取付孔部１００に亘って配置することができる。ストラップ１０２を保持するため、ボルト（図示せず）を設ける。
【００３９】
支持ユニットの各角部に隣接して、プロファイルされた開口部１０６を設ける。各開口部１０６は、より幅広の部分および更に狭い先端部に繋がる比較的狭い入口を備える。プロファイルされた開口部１０６は、金属製吊り部材１０８を受容することができ、この金属製吊り部材１０８は、開口部１０６に、線手段を接続可能な開口部１０６のより幅広の部分に亘って延在する横片１１０と共に配置されるようにプロファイルされる。
【００４０】
図示するように、支持ユニット１０の下側に複数の凹部１８を設ける。凹部１８は、全体的に四角形状であり、１０°の角度で、４７．６３ｍｍだけ延在し、内部に向かって上方に先細形状となる第１部分１１２を有する。第２先細部１１４は、第１部分１１２から延在する。第２部分１１４も四角形の断面からなるが、第１位置に対して４５°だけ回転される。第２部分１１４は、更に１８．５２ｍｍだけ４４．３５°で先細形状となる。これらの寸法は、厚さ７５ｍｍのユニット１０におけるものである。
【００４１】
使用時においては、雌ユニット３４と係合する各雄ユニット３２によって隣接する支持ユニット１０を取り付けることができる。最初に係合される際、隣接するユニット１０との間で遊嵌するが、これは、隣接するユニット１０を正確に整列させることが不可能である不均一な地面上においては特に重要となり得る。
【００４２】
続いて、横片８４がカム面５０に対して徐々に係合することにより、２つの支持ユニット１０が近接するように、雄ユニット３２を回転することによって、係止構造３０を閉口位置まで移動することができる。カム面５０の端部に対してリップを設けてもよく、横片８４がカム面５０を通過する際に、リップにより係止構造３０を係止状態に保持することができる。
【００４３】
支持ユニット１０の長辺１２に沿って取り付けられた支持ユニット１０により、必要な幅を有する仮設道路を提供することができる。しかしながら、より幅広の道路または特定の配置を提供するには、側面に更なる支持ユニット１０を取り付ける必要がある。この実施例においては、各小凹部９４に係合する各小フランジ９２と共に、隣接する支持ユニット１０に亘って延在して取り付けられ、かつ、各凹部９６，９８に係合するストラップ１０２によって、支持ユニット１０を保持することができる。
【００４４】
即ち、本明細書には、仮設道路を形成するための支持ユニットと、そのような支持ユニットから形成される仮設道路とについて記載する。凹部１８は、土台となる地面上に良好なグリップを付与するが、凹部１８は先細形状であるため、地面に一定の程度だけ沈下した後、凹部１８への更なる物質の侵入を防ぐことにより、支持ユニット１０を周囲の地面に対して必要とされる位置に、必要とされる高さで保持することができる。
【００４５】
上述したように、係止構造は、比較的緩い状態で相互接続してから完全に締結することができるという事実は、不均一な地面上でさえも、隣接する支持ユニット１０を容易に相互接続可能とすることを意味する。吊り部材１０８により、ユニット１０は機械的に移動可能となるか、または、吊り部材と係合する適切なツールを使用して取扱い可能となる。
【００４６】
本発明の範囲から逸脱することなく、多様な修正を加え得ることを理解されよう。例えば、異なる係止構造を設けてもよく、上述したストラップ以外の構造も使用可能である。支持ユニットの下側の凹部は、異なる形状であってもよい。支持ユニットは、異なるサイズであってもよい。
【００４７】
上記の明細書において、特に重要と思われる、本発明における特徴に注意を引くよう努めたが、特に強調しているか否かに関わらず、出願人は、前述した、および／または添付図面に示した、任意の特許となり得る特徴または特徴の組み合わせの保護を請求していることを理解すべきである。
【図１】
2017525878.tif 000003
【図２】
2017525878.tif 000004
【図３】
2017525878.tif 000005
【図４】
2017525878.tif 000006
【図５】
2017525878.tif 000007
【図６】
2017525878.tif 000008
【図７】
2017525878.tif 000009
【図８】
2017525878.tif 000010
【図９】
2017525878.tif 000011
【図１０】
2017525878.tif 000012
【図１１】
2017525878.tif 000013
【図１２】
2017525878.tif 000014
【図１３】
2017525878.tif 000015
【図１４】
2017525878.tif 000016
【図１５】
2017525878.tif 000017
【図１６】
2017525878.tif 000018
【図１７】
2017525878.tif 000019
【図１８】
2017525878.tif 000020
【図１９】
2017525878.tif 000021
【図２０】
2017525878.tif 000022
【図２１】
2017525878.tif 000023
【手続補正書】
【提出日】平成29年4月21日(2017.4.21)
【手続補正１】
【補正対象書類名】特許請求の範囲
【補正対象項目名】全文
【補正方法】変更
【補正の内容】
【特許請求の範囲】
【請求項１】
下側面、第１対の側面、第２対の側面および複数の接続構造を有する支持ユニットを備える支持部品であって、
前記第１対の側面は、第１側面および第２側面を備え、前記第１側面および第２側面は、前記支持ユニット上に相互に対向して配置され、前記第２対の側面は、第３側面および第４側面を備え、前記第３側面および第４側面は、前記支持ユニット上に相互に対向して配置され、前記複数の接続構造は、前記第１側面、第２側面、第３側面および第４側面のうち少なくとも１つに配置され、
前記下側面は、複数の凹部を備えると共に地面と係合可能であり、前記複数の凹部は、前記支持ユニットの内部に向かって上方に先細形状となる支持部品。
【請求項２】
請求項１に記載の支持部品であって、前記複数の凹部は、それぞれ、第１部分および第２部分を備え、前記第１部分は、第１角度で前記下側面から延在し、前記第２部分は、第２角度で前記第１部分から延在し、前記第２角度は前記第１角度よりも大きい支持部品。
【請求項３】
請求項２に記載の支持部品であって、前記第２部分は、前記第１部分に対して軸方向にオフセットされた支持部品。
【請求項４】
請求項１に記載の支持部品であって、前記複数の凹部は、平面視において略四角形である支持部品。
【請求項５】
請求項１に記載の支持部品であって、前記複数の凹部は、ぞれぞれ、閉口された頂面を有する支持部品。
【請求項６】
請求項１に記載の支持部品であって、地面からの物質が前記複数の凹部に進入する際に、前記複数の凹部は、前記支持ユニットの地面への沈下を制限する支持部品。
【請求項７】
下側面、第１対の側面、第２対の側面および第１の複数の接続構造を有する支持ユニットを備える支持部品であって、
前記第１の複数の接続構造は、それぞれ、カム面を備え、前記下側面は、地面と係合可能な複数の凹部を備え、前記複数の凹部は、前記支持ユニットの内部に向かって上方に先細形状となり、
第２支持ユニット上の第２の複数の接続構造は、前記第１の複数の接続構造と係合して、前記支持ユニットと前記第２支持ユニットとを押圧する支持部品。
【請求項８】
請求項７に記載の支持部品であって、前記複数の凹部は、それぞれ、第１部分および第２部分を備え、前記第１部分は、第１角度で前記下側面から延在し、前記第２部分は、第２角度で前記第１部分から延在し、前記第２角度は前記第１角度よりも大きい支持部品。
【請求項９】
請求項７に記載の支持部品であって、前記複数の凹部は、ぞれぞれ、閉口された頂面を有する支持部品。
【請求項１０】
請求項７に記載の支持部品であって、地面からの物質が前記複数の凹部に進入する際に、前記複数の凹部は、前記支持ユニットの地面への沈下を制限する支持部品。
【請求項１１】
請求項７に記載の支持部品であって、前記第１の複数の接続構造は、前記支持ユニットのうち少なくとも１つの側面に沿って配置される支持部品。
【請求項１２】
請求項７に記載の支持部品であって、各前記第２の複数の接続構造は、各前記第１の複数の接続構造に対して回転することにより、前記第１の複数の接続構造を前記第２の複数の接続構造に接続可能となる支持部品。
【請求項１３】
請求項７に記載の支持部品であって、前記第２の複数の接続構造は、前記第１の複数の接続構造内に挿入可能である支持部品。
【請求項１４】
請求項７に記載の支持部品であって、各前記第１の複数の接続構造は、直径方向に延在する開口部を備え、各前記第２の複数の接続構造の一部は、前記直径方向に延在する開口部内に挿入可能である支持部品。
【請求項１５】
地面と係合可能であり、前記支持部品の内部に向かって上方に先細形状となる複数の凹部を備える下側面と、
それぞれがカム面を備える第１の複数の接続構造を備える第１対の対向側面であって、第２支持部品上の第２の複数の接続構造は、前記第１の複数の接続構造と係合して、前記支持部品と前記第２支持部品とを押圧する第１対の対向側面と、
捕捉ナットを収める少なくとも１つの取付孔部を設けた少なくとも１つの凹部を備える第２対の対向側面と、
を備える支持部品。
【請求項１６】
請求項１５に記載の支持部品であって、前記複数の凹部は、ぞれぞれ、閉口された頂面を有する支持部品。
【請求項１７】
請求項１５に記載の支持部品であって、地面からの物質が前記複数の凹部に進入する際に、前記複数の凹部は、前記支持部品の地面への沈下を制限する支持部品。
【請求項１８】
請求項１５に記載の支持部品であって、前記少なくとも１つの凹部に、更に、少なくとも１つのストラップを備える支持部品。
【請求項１９】
請求項１８に記載の支持部品であって、前記少なくとも１つのストラップは、前記少なくとも１つの凹部における前記少なくとも１つの取付孔部と整列された少なくとも１つの孔部を備える支持部品。
【請求項２０】
請求項１８に記載の支持部品であって、前記少なくとも１つのストラップは、前記第２支持部品の凹部に接続可能である支持部品。
【国際調査報告】
2017525878.tif 000024
2017525878.tif 000025
2017525878.tif 000026
2017525878.tif 000027
2017525878.tif 000028